(57)【要約】【課題】モーションの加速度検出時に電話着信等でのバイブレータ起動や着信音再生による加速度の誤検出を原因とするモーションの識別の誤りを防止する。【解決手段】携帯端末の筐体本体の複数の方向の加速度を検出する加速度検出手段と、加速度検出手段にて所定値以上の加速度を検出した場合、その方向および加速度を筐体本体のモーションとして識別するモーション識別手段と、モーションの方向および大きさを操作コマンドとして変換する操作コマンド変換手段と、操作コマンドを受信するとその操作を実行する操作コマンド実行手段と、着信検出を行う着信検出手段と、バイブレータ起動手段と、バイブレータ起動手段を制御する制御手段と、を備え、制御手段は、着信検出手段にて着信を検出した際にバイブレータを起動させる設定している場合において着信を検出中にモーションを識別した場合、前記バイブレータ起動手段を駆動させない構成とする。【選択図】図１
2011035759.tif 000002
【特許請求の範囲】
【請求項１】
携帯端末の筐体本体の複数の方向の加速度を検出する加速度検出手段と、
前記加速度検出手段にて所定値以上の加速度を検出した場合、その方向および加速度を筐体本体のモーションとして識別するモーション識別手段と、
前記モーション識別手段で識別したモーションの方向および大きさを操作コマンドとして変換する操作コマンド変換手段と、
前記操作コマンドを受信すると、その操作を実行する操作コマンド実行手段と、
音声または非音声の着信検出を行う着信検出手段と、
バイブレータの起動を行うバイブレータ起動手段と、
前記バイブレータ起動手段を制御する制御手段と、を備え、
前記制御手段は、
前記着信検出手段にて着信を検出した際に前記バイブレータを起動させる設定をしている場合において、
前記着信検出手段で着信を検出した際に、前記モーション識別手段でモーションを識別した場合には、前記バイブレータ起動手段を駆動させないことを特徴とする携帯端末。
【請求項２】
携帯端末の筐体本体の複数の方向の加速度を検出する加速度検出手段と、
前記加速度検出手段にて所定値以上の加速度を検出した場合、その方向および加速度を筐体本体のモーションとして識別するモーション識別手段と、
前記モーション識別手段で識別したモーションの方向および大きさを操作コマンドとして変換する操作コマンド変換手段と、
前記操作コマンドを受信すると、その操作を実行する操作コマンド実行手段と、
音声または非音声の着信検出を行う着信検出手段と、
バイブレータの起動を行うバイブレータ起動手段と、
前記バイブレータ起動手段を制御する制御手段と、を備え、
前記制御手段は、
前記着信検出手段にて着信を検出した際に前記バイブレータを起動させる設定をしている場合において、
前記着信検出手段で着信を検出した際に、前記モーション識別手段でモーションを識別した場合には、前記バイブレータ起動手段に対して、前記加速度検出手段が加速度を検出しない周波数帯域内で駆動させるよう制御することを特徴とする携帯端末。
【請求項３】
携帯端末の筐体本体の複数の方向の加速度を検出する加速度検出手段と、
前記加速度検出手段にて所定値以上の加速度を検出した場合、その方向および加速度を筐体本体のモーションとして識別するモーション識別手段と、
前記モーション識別手段で識別したモーションの方向および大きさを操作コマンドとして変換する操作コマンド変換手段と、
前記操作コマンドを受信すると、その操作を実行する操作コマンド実行手段と、使用者により設定されたアラーム通知時刻にアラーム通知するアラーム通知手段と、
バイブレータの起動を行うバイブレータ起動手段と、
前記バイブレータ起動手段を制御する制御手段と、を備え、
前記制御手段は、
前記アラーム通知手段にてアラーム通知をする際に前記バイブレータを起動させる設定をしている場合において、
前記アラーム通知手段でアラームを通知する際に、前記モーション識別手段でモーションを識別した場合には、前記バイブレータ起動手段を駆動させないことを特徴とする携帯端末。
【請求項４】
携帯端末の筐体本体の複数の方向の加速度を検出する加速度検出手段と、
前記加速度検出手段にて所定値以上の加速度を検出した場合、その方向および加速度を筐体本体のモーションとして識別するモーション識別手段と、
前記モーション識別手段で識別したモーションの方向および大きさを操作コマンドとして変換する操作コマンド変換手段と、
前記操作コマンドを受信すると、その操作を実行する操作コマンド実行手段と、使用者により設定されたアラーム通知時刻にアラーム通知するアラーム通知手段と、
バイブレータの起動を行うバイブレータ起動手段と、
前記バイブレータ起動手段を制御する制御手段と、を備え、
前記制御手段は、
前記アラーム通知手段にてアラーム通知をする際に前記バイブレータを起動させる設定をしている場合において、
前記アラーム通知手段でアラームを通知する際に、前記モーション識別手段でモーションを識別した場合には、前記バイブレータ起動手段に対して、前記加速度検出手段が加速度を検出しない周波数帯域内で駆動させるよう制御することを特徴とする携帯端末。
【請求項５】
携帯端末の筐体本体の複数の方向の加速度を検出する加速度検出手段と、
前記加速度検出手段にて所定値以上の加速度を検出した場合、その方向および加速度を筐体本体のモーションとして識別するモーション識別手段と、
前記モーション識別手段で識別したモーションの方向および大きさを操作コマンドとして変換する操作コマンド変換手段と、
前記操作コマンドを受信すると、その操作を実行する操作コマンド実行手段と、
音声または非音声の着信検出を行う着信検出手段と、
音声の出力を行う音声出力手段と、
前記音声出力手段を制御する制御手段と、を備え、
前記制御手段は、
前記着信検出手段にて着信を検出した際に前記音声を出力させる設定をしている場合において、
前記着信検出手段で着信を検出した際に、前記モーション識別手段でモーションを識別した場合には、前記音声出力手段を駆動させないことを特徴とする携帯端末。
【請求項６】
携帯端末の筐体本体の複数の方向の加速度を検出する加速度検出手段と、
前記加速度検出手段にて所定値以上の加速度を検出した場合、その方向および加速度を筐体本体のモーションとして識別するモーション識別手段と、
前記モーション識別手段で識別したモーションの方向および大きさを操作コマンドとして変換する操作コマンド変換手段と、
前記操作コマンドを受信すると、その操作を実行する操作コマンド実行手段と、
音声または非音声の着信検出を行う着信検出手段と、
音声の出力を行う音声出力手段と、
前記音声出力手段を制御する制御手段と、を備え、
前記制御手段は、
前記着信検出手段にて着信を検出した際に前記音声を出力させる設定をしている場合において、
前記着信検出手段で着信を検出した際に、前記モーション識別手段でモーションを識別した場合には、前記音声出力手段に対して、前記加速度検出手段が加速度を検出しない周波数帯域内で音声を出力させるよう制御することを特徴とする携帯端末。
【請求項７】
携帯端末の筐体本体の複数の方向の加速度を検出する加速度検出手段と、
前記加速度検出手段にて所定値以上の加速度を検出した場合、その方向および加速度を筐体本体のモーションとして識別するモーション識別手段と、
前記モーション識別手段で識別したモーションの方向および大きさを操作コマンドとして変換する操作コマンド変換手段と、
前記操作コマンドを受信すると、その操作を実行する操作コマンド実行手段と、使用者により設定されたアラーム通知時刻にアラーム通知するアラーム通知手段と、
音声の出力を行う音声出力手段と、
前記音声出力手段を制御する制御手段と、を備え、
前記制御手段は、
前記アラーム通知手段にてアラーム通知をする際に前記音声を出力させる設定をしている場合において、
前記アラーム通知手段でアラームを通知する際に、前記モーション識別手段でモーションを識別した場合には、前記音声出力手段を駆動させないことを特徴とする携帯端末。
【請求項８】
携帯端末の筐体本体の複数の方向の加速度を検出する加速度検出手段と、
前記加速度検出手段にて所定値以上の加速度を検出した場合、その方向および加速度を筐体本体のモーションとして識別するモーション識別手段と、
前記モーション識別手段で識別したモーションの方向および大きさを操作コマンドとして変換する操作コマンド変換手段と、
前記操作コマンドを受信すると、その操作を実行する操作コマンド実行手段と、使用者により設定されたアラーム通知時刻にアラーム通知するアラーム通知手段と、
音声の出力を行う音声出力手段と、
前記音声出力手段を制御する制御手段と、を備え、
前記制御手段は、
前記アラーム通知手段にてアラーム通知をする際に前記音声を出力させる設定をしている場合において、
前記アラーム通知手段でアラームを通知する際に、前記モーション識別手段でモーションを識別した場合には、前記音声出力手段に対して、前記加速度検出手段が加速度を検出しない周波数帯域内で音声を出力させるよう制御することを特徴とする携帯端末。
【発明の詳細な説明】
【技術分野】
【０００１】
本発明は、加速度センサー等の加速度検出手段を備え、検出した加速度を入力とした応用操作が可能な携帯電子機器に関する。
【背景技術】
【０００２】
加速度センサー等の加速度検出手段を備え、検出した加速度を入力として応用操作するものとして、例えば電子ゲーム機のコントローラが知られている。（特許文献１参照）これによれば、コントローラを振るなどのモーションをした際に加速度を検出してそれを入力とすることが出来る。
【０００３】
また、加速度検出手段は携帯電話などの携帯端末にも組み込まれ、加速度検出手段を応用したアプリケーションも搭載されている。その代表例が歩数計の機能を備えた携帯端末である。（特許文献２参照）
一方で、加速度検出における課題としてノイズによる誤検出が知られており、それを解決する手段としては特許文献３の手段が知られている。
【先行技術文献】
【特許文献】
【０００４】
【特許文献１】特開２０００−１０７４４４号公報
【特許文献２】特開２００１−２０３７８３号公報
【特許文献３】特開２００８−８６３４号公報
【発明の概要】
【発明が解決しようとする課題】
【０００５】
しかしながら、携帯端末を振るなどのモーションを入力として携帯端末の応用操作をすることを目的に上記加速度検出手段を携帯端末に組み込み、携帯端末に対するモーションを行う際に加速度の検出と検出した加速度からモーションを識別する場合において、電話着信やメール着信によるバイブレータ起動や着信音再生、また、アラーム通知やスケジュール通知によるバイブレータ起動や通知を意味する着信音再生により加速度の誤検出が生じて、結果として、モーションの識別を誤る可能性がある。
【０００６】
そこで、加速度の誤検出を防止するための方法として特許文献３に記載された解決方法が知られているが、携帯端末本体の大きさ、厚みが増してしまうといった問題点があった。
【０００７】
本発明は、このような従来の問題に鑑みてなされたものであり、携帯端末に対するモーションを行う際の加速度検出においてバイブレータ起動や着信音再生を原因とする加速度の誤検出を防止し、かつ、携帯端末本体の大きさへ影響なく実現する携帯端末を提供するものである。
【課題を解決するための手段】
【０００８】
本発明の携帯端末は、携帯端末の筐体本体の複数の方向の加速度を検出する加速度検出手段と、前記加速度検出手段にて所定値以上の加速度を検出した場合、その方向および加速度を筐体本体のモーションとして識別するモーション識別手段と、前記モーション識別手段で識別したモーションの方向および大きさを操作コマンドとして変換する操作コマンド変換手段と、前記操作コマンドを受信すると、その操作を実行する操作コマンド実行手段と、音声または非音声の着信検出を行う着信検出手段と、バイブレータの起動を行うバイブレータ起動手段と、前記バイブレータ起動手段を制御する制御手段と、を備え、前記制御手段は、前記着信検出手段にて着信を検出した際に前記バイブレータを起動させる設定をしている場合において、前記着信検出手段で着信を検出した際に、前記モーション識別手段でモーションを識別した場合には、前記バイブレータ起動手段を駆動させないことを特徴とする構成を有する。
【０００９】
この構成により、電話着信またはメール着信を検出した際にバイブレータを起動させる設定をしている場合において、携帯端末に対するモーションを行っている最中に電話着信またはメール着信があった場合でも、制御手段が例外的にバイブレータ起動手段を駆動させないことにより、バイブレータの振動による加速度の誤検出を防ぎモーションの識別の誤りを防ぐことが出来る。
【００１０】
また、本発明の携帯端末は、携帯端末の筐体本体の複数の方向の加速度を検出する加速度検出手段と、前記加速度検出手段にて所定値以上の加速度を検出した場合、その方向および加速度を筐体本体のモーションとして識別するモーション識別手段と、前記モーション識別手段で識別したモーションの方向および大きさを操作コマンドとして変換する操作コマンド変換手段と、前記操作コマンドを受信すると、その操作を実行する操作コマンド実行手段と、音声または非音声の着信検出を行う着信検出手段と、バイブレータの起動を行うバイブレータ起動手段と、前記バイブレータ起動手段を制御する制御手段と、を備え、前記制御手段は、前記着信検出手段にて着信を検出した際に前記バイブレータを起動させる設定をしている場合において、前記着信検出手段で着信を検出した際に、前記モーション識別手段でモーションを識別した場合には、前記バイブレータ起動手段に対して、前記加速度検出手段が加速度を検出しない周波数帯域内で駆動させるよう制御することを特徴とする構成であっても良い。
【００１１】
この構成により、電話着信またはメール着信を検出した際にバイブレータを起動させる設定をしている場合において、携帯端末に対するモーションを行っている最中に電話着信またはメール着信があった場合でも、制御手段が例外的にバイブレータ起動手段を前記加速度検出手段が加速度を検出しない周波数帯域内で駆動させるよう制御することにより、バイブレータの振動による加速度の誤検出を防ぎモーションの識別の誤りを防ぐことが出来る。
【００１２】
また、本発明の携帯端末は、携帯端末の筐体本体の複数の方向の加速度を検出する加速度検出手段と、前記加速度検出手段にて所定値以上の加速度を検出した場合、その方向および加速度を筐体本体のモーションとして識別するモーション識別手段と、前記モーション識別手段で識別したモーションの方向および大きさを操作コマンドとして変換する操作コマンド変換手段と、前記操作コマンドを受信すると、その操作を実行する操作コマンド実行手段と、使用者により設定されたアラーム通知時刻にアラーム通知するアラーム通知手段と、バイブレータの起動を行うバイブレータ起動手段と、前記バイブレータ起動手段を制御する制御手段と、を備え、前記制御手段は、前記アラーム通知手段にてアラーム通知をする際に前記バイブレータを起動させる設定をしている場合において、前記アラーム通知手段でアラームを通知する際に、前記モーション識別手段でモーションを識別した場合には、前記バイブレータ起動手段を駆動させないことを特徴とする構成であっても良い。
【００１３】
この構成により、アラーム通知またはスケジュール通知する際にバイブレータを起動させる設定をしている場合において、携帯端末に対するモーションを行っている最中にアラーム通知もしくはスケジュール通知があった場合でも、制御手段が例外的にバイブレータ起動手段を駆動させないことにより、バイブレータの振動による加速度の誤検出を防ぎモーションの識別の誤りを防ぐことが出来る。
【００１４】
また、本発明の携帯端末は、携帯端末の筐体本体の複数の方向の加速度を検出する加速度検出手段と、前記加速度検出手段にて所定値以上の加速度を検出した場合、その方向および加速度を筐体本体のモーションとして識別するモーション識別手段と、前記モーション識別手段で識別したモーションの方向および大きさを操作コマンドとして変換する操作コマンド変換手段と、前記操作コマンドを受信すると、その操作を実行する操作コマンド実行手段と、使用者により設定されたアラーム通知時刻にアラーム通知するアラーム通知手段と、バイブレータの起動を行うバイブレータ起動手段と、前記バイブレータ起動手段を制御する制御手段と、を備え、前記制御手段は、前記アラーム通知手段にてアラーム通知をする際に前記バイブレータを起動させる設定をしている場合において、前記アラーム通知手段でアラームを通知する際に、前記モーション識別手段でモーションを識別した場合には、前記バイブレータ起動手段に対して、前記加速度検出手段が加速度を検出しない周波数帯域内で駆動させるよう制御することを特徴とする構成であっても良い。
【００１５】
この構成により、アラーム通知またはスケジュール通知する際にバイブレータを起動させる設定をしている場合において、携帯端末に対するモーションを行っている最中にアラーム通知またはスケジュール通知があった場合でも、制御手段が例外的にバイブレータ起動手段を前記加速度検出手段が加速度を検出しない周波数帯域内で駆動させるよう制御することにより、バイブレータの振動による加速度の誤検出を防ぎモーションの識別の誤りを防ぐことが出来る。
【００１６】
また、本発明の携帯端末は、携帯端末の筐体本体の複数の方向の加速度を検出する加速度検出手段と、前記加速度検出手段にて所定値以上の加速度を検出した場合、その方向および加速度を筐体本体のモーションとして識別するモーション識別手段と、前記モーション識別手段で識別したモーションの方向および大きさを操作コマンドとして変換する操作コマンド変換手段と、前記操作コマンドを受信すると、その操作を実行する操作コマンド実行手段と、音声または非音声の着信検出を行う着信検出手段と、音声の出力を行う音声出力手段と、前記音声出力手段を制御する制御手段と、を備え、前記制御手段は、前記着信検出手段にて着信を検出した際に前記音声を出力させる設定をしている場合において、前記着信検出手段で着信を検出した際に、前記モーション識別手段でモーションを識別した場合には、前記音声出力手段を駆動させないことを特徴とする構成であっても良い。
【００１７】
この構成により、電話着信またはメール着信を検出した際に着信音を再生させる設定をしている場合において、携帯端末に対するモーションを行っている最中に電話着信またはメール着信があった場合でも、前記制御手段が例外的に前記音声出力手段を駆動させないことにより、着信音の再生による加速度の誤検出を防ぎモーションの識別の誤りを防ぐことが出来る。
【００１８】
また、本発明の携帯端末は、携帯端末の筐体本体の複数の方向の加速度を検出する加速度検出手段と、前記加速度検出手段にて所定値以上の加速度を検出した場合、その方向および加速度を筐体本体のモーションとして識別するモーション識別手段と、前記モーション識別手段で識別したモーションの方向および大きさを操作コマンドとして変換する操作コマンド変換手段と、前記操作コマンドを受信すると、その操作を実行する操作コマンド実行手段と、音声または非音声の着信検出を行う着信検出手段と、音声の出力を行う音声出力手段と、前記音声出力手段を制御する制御手段と、を備え、前記制御手段は、前記着信検出手段にて着信を検出した際に前記音声を出力させる設定をしている場合において、前記着信検出手段で着信を検出した際に、前記モーション識別手段でモーションを識別した場合には、前記音声出力手段に対して、前記加速度検出手段が加速度を検出しない周波数帯域内で音声を出力させるよう制御することを特徴とする構成であっても良い。
【００１９】
この構成により、電話着信またはメール着信を検出した際に着信音を再生させる設定をしている場合において、携帯端末に対するモーションを行っている最中に電話着信またはメール着信があった場合でも、制御手段が例外的に音声出力手段を前記加速度検出手段が加速度を検出しない周波数帯域内で音声を出力させるよう制御することにより、着信音の再生による加速度の誤検出を防ぎモーションの識別の誤りを防ぐことが出来る。
【００２０】
また、本発明の携帯端末は、携帯端末の筐体本体の複数の方向の加速度を検出する加速度検出手段と、前記加速度検出手段にて所定値以上の加速度を検出した場合、その方向および加速度を筐体本体のモーションとして識別するモーション識別手段と、前記モーション識別手段で識別したモーションの方向および大きさを操作コマンドとして変換する操作コマンド変換手段と、前記操作コマンドを受信すると、その操作を実行する操作コマンド実行手段と、使用者により設定されたアラーム通知時刻にアラーム通知するアラーム通知手段と、音声の出力を行う音声出力手段と、前記音声出力手段を制御する制御手段と、を備え、前記制御手段は、前記アラーム通知手段にてアラーム通知をする際に前記音声を出力させる設定をしている場合において、前記アラーム通知手段でアラームを通知する際に、前記モーション識別手段でモーションを識別した場合、前記音声出力手段を駆動させないことを特徴とする構成であっても良い。
【００２１】
この構成により、アラーム通知またはスケジュール通知する際に着信音を再生させる設定をしている場合において、携帯端末に対するモーションを行っている最中にアラーム通知またはスケジュール通知があった場合でも、制御手段が例外的に音声出力手段を駆動させないことにより、着信音の再生による加速度の誤検出を防ぎモーションの識別の誤りを防ぐことが出来る。
【００２２】
また、本発明の携帯端末は、携帯端末の筐体本体の複数の方向の加速度を検出する加速度検出手段と、前記加速度検出手段にて所定値以上の加速度を検出した場合、その方向および加速度を筐体本体のモーションとして識別するモーション識別手段と、前記モーション識別手段で識別したモーションの方向および大きさを操作コマンドとして変換する操作コマンド変換手段と、前記操作コマンドを受信すると、その操作を実行する操作コマンド実行手段と、使用者により設定されたアラーム通知時刻にアラーム通知するアラーム通知手段と、音声の出力を行う音声出力手段と、前記音声出力手段を制御する制御手段と、を備え、前記制御手段は、前記アラーム通知手段にてアラーム通知をする際に前記音声を出力させる設定をしている場合において、前記アラーム通知手段でアラームを通知する際に、前記モーション識別手段でモーションを識別した場合には、前記音声出力手段に対して、前記加速度検出手段が加速度を検出しない周波数帯域内で音声を出力させるよう制御することを特徴とする構成であっても良い。
【００２３】
この構成により、アラーム通知またはスケジュール通知する際に着信音を再生させる設定をしている場合において、携帯端末に対するモーションを行っている最中にアラーム通知またはスケジュール通知があった場合でも、前記制御手段が例外的に前記音声出力手段を前記加速度検出手段が加速度を検出しない周波数帯域内で音声を出力させるよう制御することにより、着信音の再生による加速度の誤検出を防ぎモーションの識別の誤りを防ぐことが出来る。
【発明の効果】
【００２４】
本発明の携帯端末によれば、携帯端末を振るなどのモーションを入力として携帯端末の応用操作をすることを目的に加速度センサー等の加速度検出手段を携帯端末に組み込み、携帯端末に対するモーションを行う際に加速度の検出と検出した加速度からモーションを識別する場合において、電話着信やメール着信、アラーム通知やスケジュール通知があった時、バイブレータや着信音について制御することで、携帯端末を大型化することなく、加速度の誤検出とモーションの識別の誤りを防ぐことが出来る。
【図面の簡単な説明】
【００２５】
【図１】本発明の実施の形態１、２における携帯端末の概略構成図
【図２】本発明の実施の形態３、４における携帯端末の概略構成図
【図３】本発明の実施の形態１における携帯端末の制御手段の動作を説明するフローチャート図
【図４】本発明の実施の形態２における携帯端末の制御手段の動作を説明するフローチャート図
【図５】本発明の実施の形態３における携帯端末の制御手段の動作を説明するフローチャート図
【図６】本発明の実施の形態４における携帯端末の制御手段の動作を説明するフローチャート図
【発明を実施するための形態】
【００２６】
（第１の実施の形態）
図１は、本発明の実施の形態における携帯端末の概略構成図、図３は、同携帯端末における制御手段の動作を説明するフローチャートである。
【００２７】
本発明の実施の形態における携帯端末は、図１に示すように着信検出手段１０と制御手段２０とバイブレータ起動手段３０と加速度検出手段４０とモーション識別手段５０と操作コマンド変換手段６０と操作コマンド実行手段７０を備えている。
【００２８】
加速度検出手段４０は、携帯端末本体（図示せず）に加わる、複数方向の加速度の大きさおよび方向を検出するものであり、一定間隔で加速度の大きさおよび方向を検出してモーション識別手段５０に送信する。モーション識別手段５０は、加速度検出手段４０から受信した加速度の大きさおよび方向が所定以上の大きさかつ所定の方向である場合、その加速度および方向を筐体本体のモーションとして識別し、加速度検出手段４０から受信した加速度の大きさおよび方向が所定以下の大きさ、または、所定以外の方向である場合には、モーションとして識別しないものである。また、モーション識別手段５０はモーション検出中、モーション未検出中と２つの状態を持ち、加速度検出手段４０からモーションと識別出来る加速度および方向を受信している時にモーション検出中状態として、それ以外の時はモーション未検出中状態とする。なお、モーション検出とは、モーションと識別出来る加速度および方向を検出する意味で用いている。また、モーション識別手段５０はモーション検出中状態、モーション未検出中状態の情報をモーション検出中通知、モーション未検出中通知の形で制御手段２０に対して送信する。また、モーション識別手段５０は加速度検出手段４０から受信した加速度の大きさおよび方向をモーションとして識別した場合は、その加速度の大きさおよび方向と識別したモーションの種類を操作コマンド変換手段６０に送信する。操作コマンド変換手段６０はモーション識別手段５０から受信した加速度の大きさおよび方向と識別したモーションの種類を入力に操作コマンド実行手段７０にて実行可能なコマンドを作成して操作コマンド実行手段７０に対して送信する。操作コマンド実行手段７０は操作コマンド変換手段６０からの操作コマンドを入力としたアプリケーションを実行させるものである。
【００２９】
着信検出手段１０は、音声または非音声の着信検出をするもので、音声または非音声の着信検出をすると制御手段２０に着信通知を送信する。制御手段２０は、バイブレータ起動手段３０を制御するものである。制御手段２０は、着信検出手段１０からの着信通知を受信した際にバイブレータ起動手段３０にバイブレータ駆動命令を送信する、送信しないと言う情報を保持する。その情報によって、制御手段２０はバイブレータ起動手段３０にバイブレータ駆動命令を送信する、送信しないを制御する。また、制御手段２０はモーション識別手段５０からモーション検出中通知、モーション未検出中通知を受信して、加速度検出手段４０がモーション識別手段５０によってモーションと識別出来る加速度および方向を検出しているか否かの情報を保持する。その情報によって、制御手段２０はバイブレータ起動手段３０にバイブレータ駆動命令を送信する、送信しないを制御する。バイブレータ起動手段３０はバイブレータの起動を行うもので、制御手段２０からのバイブレータ駆動命令を受信してバイブレータを起動する。
【００３０】
次に、着信時の動作について、図３を用いて説明する。
【００３１】
制御手段２０により、電話着信があった場合にバイブレータを起動する設定とすることができる。この設定中に電話着信があると（Ｓ２００１）、制御手段２０はモーション識別手段５０からのモーション検出中通知、モーション未検出中通知を元に携帯端末に対してモーションを行っているかどうか判別する（Ｓ２００２）。制御手段２０は携帯端末に対してモーションを行っていないと判別した場合にはバイブレータ起動手段３０にバイブレータ駆動命令を送信してバイブレータを起動させる（Ｓ２００３）。一方、携帯端末に対してモーションを行っていると判別した場合には、バイブレータ起動手段３０にバイブレータ駆動命令を送信せずにバイブレータを起動させない（Ｓ２００４）。
【００３２】
このように、本実施の形態によれば、携帯端末に対してモーションを行っている時に電話着信があった場合において、バイブレータを起動させないので、バイブレータの振動による加速度の誤検出とモーションの識別の誤りを防ぐことが出来る。
【００３３】
なお、本実施形態では、電話着信について記載したが、メール着信などの非音声情報の着信であってもよい。また、ユーザーにより所定の時刻や日時にアラームを設定することが可能な場合、図示しない、アラーム通知手段によりアラーム通知される際に、携帯端末に対してモーションを行っている場合には、同様にバイブレータを振動しないよう制御する。  
【００３４】
（第２の実施の形態）
図１は、本発明の実施の形態における携帯端末の概略構成図、図４は、同携帯端末における制御手段の動作を説明するフローチャートである。
【００３５】
本発明の実施の形態における携帯端末は、図１に示すように着信検出手段１０と制御手段２０とバイブレータ起動手段３０と加速度検出手段４０とモーション識別手段５０と操作コマンド変換手段６０と操作コマンド実行手段７０を備えている。
【００３６】
加速度検出手段４０は、携帯端末本体（図示せず）に加わる、複数方向の加速度の大きさおよび方向を検出するものであり、一定間隔で加速度の大きさおよび方向を検出してモーション識別手段５０に送信する。モーション識別手段５０は、加速度検出手段４０から受信した加速度の大きさおよび方向が所定以上の大きさかつ所定の方向である場合、その加速度および方向を筐体本体のモーションとして識別し、加速度検出手段４０から受信した加速度の大きさおよび方向が所定以下の大きさ、または、所定以外の方向である場合には、モーションとして識別しないものである。また、モーション識別手段５０はモーション検出中、モーション未検出中と２つの状態を持ち、加速度検出手段４０からモーションと識別出来る加速度および方向を受信している時にモーション検出中状態として、それ以外の時はモーション未検出中状態とする。なお、モーション検出とは、モーションと識別出来る加速度および方向を検出する意味で用いている。また、モーション識別手段５０はモーション検出中状態、モーション未検出中状態の情報をモーション検出中通知、モーション未検出中通知の形で制御手段２０に対して送信する。また、モーション識別手段５０は加速度検出手段４０から受信した加速度の大きさおよび方向をモーションとして識別した場合は、その加速度の大きさおよび方向と識別したモーションの種類を操作コマンド変換手段６０に送信する。操作コマンド変換手段６０はモーション識別手段５０から受信した加速度の大きさおよび方向と識別したモーションの種類を入力に操作コマンド実行手段７０にて実行可能なコマンドを作成して操作コマンド実行手段７０に対して送信する。操作コマンド実行手段７０は操作コマンド変換手段６０からの操作コマンドを入力としたアプリケーションを実行させるものである。
【００３７】
着信検出手段１０は、音声または非音声の着信検出をするもので、音声または非音声の着信検出をすると制御手段２０に着信通知を送信する。制御手段２０は、バイブレータ起動手段３０を制御するものである。制御手段２０は、着信検出手段１０からの着信通知を受信した際にバイブレータ起動手段３０にバイブレータ駆動命令を送信する、送信しないと言う情報を保持する。その情報によって、制御手段２０はバイブレータ起動手段３０にバイブレータ駆動命令を送信する、送信しないを制御する。また、制御手段２０はモーション識別手段５０からモーション検出中通知、モーション未検出中通知を受信して、加速度検出手段４０がモーション識別手段５０によってモーションと識別出来る加速度および方向を検出しているか否かの情報を保持する。その情報によって、制御手段２０はバイブレータ起動手段３０にバイブレータ駆動命令を送信する、特定の周波数帯域でバイブレータを駆動させるバイブレータ特定周波数帯域駆動命令を送信すると切り替える。バイブレータ起動手段３０はバイブレータの起動を行うもので、制御手段２０からのバイブレータ駆動命令を受信してバイブレータを起動する。
【００３８】
次に、着信時の動作について、図４を用いて説明する。
【００３９】
制御手段２０により、電話着信があった場合にバイブレータを起動する設定とすることができる。この設定中に電話着信があると（Ｓ２００５）、制御手段２０はモーション識別手段５０からのモーション検出中通知、モーション未検出中通知を元に携帯端末に対してモーションを行っているかどうか判別する（Ｓ２００６）。制御手段２０は携帯端末に対してモーションを行っていないと判別した場合にはバイブレータ起動手段３０にバイブレータ駆動命令を送信してバイブレータを通常の振幅で起動させる（Ｓ２００７）。一方、携帯端末に対してモーションを行っていると判別した場合にはバイブレータ起動手段３０にバイブレータ特定周波数帯域駆動命令を送信してバイブレータを加速度検出手段４０が検出しない周波数帯域で起動させる（Ｓ２００８）。
【００４０】
このように、本実施の形態によれば、携帯端末に対してモーションを行っている時に電話着信があった場合において、バイブレータを加速度検出手段４０が検出しない周波数帯域で起動させるので、バイブレータの振動による加速度の誤検出とモーションの識別の誤りを防ぐことが出来る。
【００４１】
なお、本実施形態では、電話着信について記載したが、メール着信などの非音声情報の着信であってもよい。また、ユーザーにより所定の時刻や日時にアラームを設定することが可能な場合、図示しない、アラーム通知手段によりアラーム通知される際に、携帯端末に対してモーションを行っている場合には、同様にバイブレータを加速度検出手段４０が検出しない周波数帯域で起動させる。
【００４２】
（第３の実施の形態）
図２は、本発明の実施の形態における携帯端末の概略構成図、図５は、同携帯端末における制御手段の動作を説明するフローチャートである。
【００４３】
本発明の実施の形態における携帯端末は、図２に示すように着信検出手段８０と制御手段９０と音声出力手段１００と加速度検出手段１１０とモーション識別手段１２０と操作コマンド変換手段１３０と操作コマンド実行手段１４０を備えている。
【００４４】
加速度検出手段１１０は、携帯端末本体（図示せず）に加わる、複数方向の加速度の大きさおよび方向を検出するものであり、一定間隔で加速度の大きさおよび方向を検出してモーション識別手段１２０に送信する。モーション識別手段１２０は、加速度検出手段１１０から受信した加速度の大きさおよび方向が所定以上の大きさかつ所定の方向である場合、その加速度および方向を筐体本体のモーションとして識別し、加速度検出手段１１０から受信した加速度の大きさおよび方向が所定以下の大きさ、または、所定以外の方向である場合には、モーションとして識別しないものである。また、モーション識別手段１２０はモーション検出中、モーション未検出中と２つの状態を持ち、加速度検出手段１１０からモーションと識別出来る加速度および方向を受信している時にモーション検出中状態として、それ以外の時はモーション未検出中状態とする。なお、モーション検出とは、モーションと識別出来る加速度および方向を検出する意味で用いている。また、モーション識別手段１２０はモーション検出中状態、モーション未検出中状態の情報をモーション検出中通知、モーション未検出中通知の形で制御手段９０に対して送信する。また、モーション識別手段１２０は加速度検出手段１１０から受信した加速度の大きさおよび方向をモーションとして識別した場合は、その加速度の大きさおよび方向と識別したモーションの種類を操作コマンド変換手段１３０に送信する。操作コマンド変換手段１３０はモーション識別手段１２０から受信した加速度の大きさおよび方向と識別したモーションの種類を入力に操作コマンド実行手段１４０にて実行可能なコマンドを作成して操作コマンド実行手段１４０に対して送信する。操作コマンド実行手段１４０は操作コマンド変換手段１３０からの操作コマンドを入力としたアプリケーションを実行させるものである。
【００４５】
着信検出手段８０は、音声または非音声の着信検出をするもので、音声または非音声の着信検出をすると制御手段９０に着信通知を送信する。制御手段９０は、音声出力手段１００を制御するものである。制御手段９０は、着信検出手段８０からの着信通知を受信した際に音声出力手段１００に音声出力命令を送信する、送信しないと言う情報を保持する。その情報によって、制御手段９０は音声出力手段１００に音声出力命令を送信する、送信しないを制御する。また、制御手段９０はモーション識別手段１２０からモーション検出中通知、モーション未検出中通知を受信して、加速度検出手段１１０がモーション識別手段１２０によってモーションと識別出来る加速度および方向を検出しているか否かの情報を保持する。その情報によって、制御手段９０は音声出力手段１００に音声出力命令を送信する、送信しないを制御する。音声出力手段１００は音声の出力を行うもので、制御手段９０からの音声出力命令を受信して音声を出力する。
【００４６】
次に、着信時の動作について、図５を用いて説明する。
【００４７】
制御手段９０により、電話着信があった場合に音声を出力する設定とすることができる。この設定中に電話着信があると（Ｓ９００１）、制御手段９０はモーション識別手段１２０からのモーション検出中通知、モーション未検出中通知を元に携帯端末に対してモーションを行っているかどうか判別する（Ｓ９００２）。制御手段９０は携帯端末に対してモーションを行っていないと判別した場合には音声出力手段１００に音声出力命令を送信して着信音を再生させる（Ｓ９００３）。一方、携帯端末に対してモーションを行っていると判別した場合には、音声出力手段１００に音声出力命令を送信せずに着信音を再生させない（Ｓ９００４）。
【００４８】
このように、本実施の形態によれば、携帯端末に対してモーションを行っている時に電話着信があった場合において、着信音を再生させないので、着信音の再生による加速度の誤検出とモーションの識別の誤りを防ぐことが出来る。
【００４９】
なお、本実施形態では、電話着信について記載したが、メール着信などの非音声情報の着信であってもよい。また、ユーザーにより所定の時刻や日時にアラームを設定することが可能な場合、図示しない、アラーム通知手段によりアラーム通知される際に、携帯端末に対してモーションを行っている場合には、同様に着信音を再生しないよう制御する。
【００５０】
（第４の実施の形態）
図２は、本発明の実施の形態における携帯端末の概略構成図、図６は、同携帯端末における制御手段の動作を説明するフローチャートである。
【００５１】
本発明の実施の形態における携帯端末は、図２に示すように着信検出手段８０と制御手段９０と音声出力手段１００と加速度検出手段１１０とモーション識別手段１２０と操作コマンド変換手段１３０と操作コマンド実行手段１４０を備えている。
【００５２】
加速度検出手段１１０は、携帯端末本体（図示せず）に加わる、複数方向の加速度の大きさおよび方向を検出するものであり、一定間隔で加速度の大きさおよび方向を検出してモーション識別手段１２０に送信する。モーション識別手段１２０は、加速度検出手段１１０から受信した加速度の大きさおよび方向が所定以上の大きさかつ所定の方向である場合、その加速度および方向を筐体本体のモーションとして識別し、加速度検出手段１１０から受信した加速度の大きさおよび方向が所定以下の大きさ、または、所定以外の方向である場合には、モーションとして識別しないものである。また、モーション識別手段１２０はモーション検出中、モーション未検出中と２つの状態を持ち、加速度検出手段１１０からモーションと識別出来る加速度および方向を受信している時にモーション検出中状態として、それ以外の時はモーション未検出中状態とする。なお、モーション検出とは、モーションと識別出来る加速度および方向を検出する意味で用いている。また、モーション識別手段１２０はモーション検出中状態、モーション未検出中状態の情報をモーション検出中通知、モーション未検出中通知の形で制御手段９０に対して送信する。また、モーション識別手段１２０は加速度検出手段１１０から受信した加速度の大きさおよび方向をモーションとして識別した場合は、その加速度の大きさおよび方向と識別したモーションの種類を操作コマンド変換手段１３０に送信する。操作コマンド変換手段１３０はモーション識別手段１２０から受信した加速度の大きさおよび方向と識別したモーションの種類を入力に操作コマンド実行手段１４０にて実行可能なコマンドを作成して操作コマンド実行手段１４０に対して送信する。操作コマンド実行手段１４０は操作コマンド変換手段１３０からの操作コマンドを入力としたアプリケーションを実行させるものである。
【００５３】
着信検出手段８０は、音声または非音声の着信検出をするもので、音声または非音声の着信検出をすると制御手段９０に着信通知を送信する。制御手段９０は、音声出力手段１００を制御するものである。制御手段９０は、着信検出手段８０からの着信通知を受信した際に音声出力手段１００に音声出力命令を送信する、送信しないと言う情報を保持する。その情報によって、制御手段９０は音声出力手段１００に音声出力命令を送信する、送信しないを制御する。また、制御手段９０はモーション識別手段１２０からモーション検出中通知、モーション未検出中通知を受信して、加速度検出手段１１０がモーション識別手段１２０によってモーションと識別出来る加速度および方向を検出しているか否かの情報を保持する。その情報によって、制御手段９０は音声出力手段１００に音声出力命令を送信する、音声特定周波数帯域出力命令を送信すると切り替える。音声出力手段１００は音声の出力を行うもので、制御手段９０からの音声出力命令を受信して音声を出力する。
【００５４】
次に、着信時の動作について、図６を用いて説明する。
【００５５】
制御手段９０により、電話着信があった場合に音声を出力する設定とすることができる。この設定中に電話着信があると（Ｓ９００５）、制御手段９０はモーション識別手段１２０からのモーション検出中通知、モーション未検出中通知を元に携帯端末に対してモーションを行っているかどうか判別する（Ｓ９００６）。制御手段９０は携帯端末に対してモーションを行っていないと判別した場合には音声出力手段１００に音声出力命令を送信して着信音を通常の周波数帯域で再生させる（Ｓ９００７）。一方、携帯端末に対してモーションを行っていると判別した場合には、音声出力手段１００に音声特定周波数帯域出力命令を送信して加速度検出手段１１０が検出しない周波数帯域で着信音を再生させる（Ｓ９００８）。
【００５６】
このように、本実施の形態によれば、携帯端末に対してモーションを行っている時に電話着信があった場合において、着信音を加速度検出手段１１０が検出しない周波数帯域で再生させるので、着信音の再生による加速度の誤検出とモーションの識別の誤りを防ぐことが出来る。
【００５７】
なお、本実施形態では、電話着信について記載したが、メール着信などの非音声情報の着信であってもよい。また、ユーザーにより所定の時刻や日時にアラームを設定することが可能な場合、図示しない、アラーム通知手段によりアラーム通知される際に、携帯端末に対してモーションを行っている場合には、同様に着信音を加速度検出手段１１０が検出しない周波数帯域で再生するよう制御する。
【産業上の利用可能性】
【００５８】
本発明の携帯端末によれば、モーションの加速度検出中に電話着信やメール着信、アラーム通知やスケジュール通知があった際のバイブレータ起動や着信音再生による加速度の誤検出を防ぐ事が出来るので、携帯端末を振るなどのモーションを入力として応用操作を行う機能を備えた携帯端末などに有用である。
【符号の説明】
【００５９】
１０    着信検出手段
２０    制御手段
３０    バイブレータ起動手段
４０    加速度検出手段
５０    モーション識別手段
６０    操作コマンド変換手段
７０    操作コマンド実行手段
８０    着信検出手段
９０    制御手段
１００    音声出力手段
１１０    加速度検出手段
１２０    モーション識別手段
１３０    操作コマンド変換手段
１４０    操作コマンド実行手段
【図１】
2011035759.tif 000003
【図２】
2011035759.tif 000004
【図３】
2011035759.tif 000005
【図４】
2011035759.tif 000006
【図５】
2011035759.tif 000007
【図６】
2011035759.tif 000008